(57)【要約】【課題】端子への配線取付け時及び撤去時に、誤配線や誤切断の発生を防止することができる中間配線盤を提供すること。【解決手段】行方向に並列された複数の収容部１６を有する筐体１０と、収容部１６のそれぞれに配置され、収容部１６に収容される待機位置Ｂと収容部１６から突出する突出位置Ｃの間を移動可能であり、複数の端子２１を有する複数の端子ブロック２０と、筐体１０に端子ブロック２０毎に配置され、待機位置Ｂから突出位置Ｃに端子ブロック２０を押し出し可能な複数の押出機構３０と、筐体１０に収容部１６毎に配置され、収容部１６を開閉可能な複数の絶縁カバー５０と、押出機構３０を選択的に動作させる操作部４０と、を備える中間配線盤１。【選択図】図２
2020113375.tif 000002
【特許請求の範囲】
【請求項１】
所定方向に並列された複数の収容部を有する筐体と、
前記収容部のそれぞれに配置され、前記収容部に収容される待機位置と前記収容部から突出する突出位置の間を移動可能であり、複数の端子を有する複数の端子ブロックと、
前記筐体に前記端子ブロック毎に配置され、前記待機位置から前記突出位置に前記端子ブロックを押し出し可能な複数の押出機構と、
前記筐体に前記収容部毎に配置され、前記収容部を開閉可能な複数の絶縁カバーと、
前記押出機構を選択的に動作させる操作部と、を備える中間配線盤。
【請求項２】
前記押出機構は、
前記端子ブロックを前記突出位置側に付勢する付勢部材と、
前記操作部の操作に連動して、前記待機位置の前記端子ブロックの移動を規制する規制位置から規制を解除する解除位置に移動する規制部材と、を有する請求項１に記載の中間配線盤。
【請求項３】
前記筐体の前記規制部材と異なる位置に前記端子ブロック毎に配置され、鍵穴を有するロック機構をさらに備え、
前記ロック機構は、前記鍵穴に挿し込まれた鍵の回転に連動して、前記端子ブロックの移動を規制する状態と規制を解除する状態に切り換わる請求項２に記載の中間配線盤。
【請求項４】
前記端子ブロックの色と前記絶縁カバーの色とが異なる請求項１〜３のいずれかに記載の中間配線盤。
【発明の詳細な説明】
【技術分野】
【０００１】
本発明は、中間配線盤に関する。
【背景技術】
【０００２】
従来、通信回線の配線は、多数の端子が配列されている中間配線盤を用いて行われている。通信回線の配線作業は、複数の端子のそれぞれに通信装置のケーブルの導体部を巻き付ける方法等により行われている。
【０００３】
近年、中間配線盤に配列される端子の高密度化により、隣接する端子の間隔が狭くなっている。このため、中間配線盤への通信ケーブルの取付け時や撤去時に、誤配線、隣接する配線同士の接触、隣接する配線の誤切断等が発生することがあった。これらを防止する方法として、例えば、特許文献１には絶縁カバーを用いる方法が記載されている。
【０００４】
特許文献１には、絶縁カバーを端子に取り付けることにより、端子の側面部を遮蔽し配線作業を行う方法が記載されている。この方法によれば、容易に中間配線盤の端子の短絡を防止することができる。
【先行技術文献】
【特許文献】
【０００５】
【特許文献１】特開２０１０−１４０６９８号公報
【発明の概要】
【発明が解決しようとする課題】
【０００６】
しかし、絶縁カバーの取付け方法によっては、隣接する配線を誤って引き出し切断するおそれや隣接する端子に誤って配線するおそれもある。このような問題が発生しないように、作業対象箇所と非作業対象箇所が明確に区分けされた中間配線盤が望まれている。
【０００７】
本発明は上記に鑑みてなされたものであり、端子への配線取付け時及び撤去時に、誤配線や誤切断の発生を防止することができる中間配線盤を提供することを目的とする。
【課題を解決するための手段】
【０００８】
本発明は、所定方向に並列された複数の収容部を有する筐体と、前記収容部のそれぞれに配置され、前記収容部に収容される待機位置と前記収容部から突出する突出位置の間を移動可能であり、複数の端子を有する複数の端子ブロックと、前記筐体に前記端子ブロック毎に配置され、前記待機位置から前記突出位置に前記端子ブロックを押し出し可能な複数の押出機構と、前記筐体に前記収容部毎に配置され、前記収容部を開閉可能な複数の絶縁カバーと、前記押出機構を選択的に動作させる操作部と、を備える中間配線盤に関する。
【０００９】
前記押出機構は、前記端子ブロックを前記突出位置側に付勢する付勢部材と、前記操作部の操作に連動して、前記待機位置の前記端子ブロックの移動を規制する規制位置から規制を解除する解除位置に移動する規制部材と、を有することが好ましい。
【００１０】
前記筐体の前記規制部材と異なる位置に前記端子ブロック毎に配置され、鍵穴を有するロック機構をさらに備え、前記ロック機構は、前記鍵穴に挿し込まれた鍵の回転に連動して、前記端子ブロックの移動を規制する状態と規制を解除する状態に切り換わることが好ましい。
【００１１】
前記端子ブロックの色と前記絶縁カバーの色とが異なることが好ましい。
【発明の効果】
【００１２】
本発明によれば、端子への配線取付け時及び撤去時に、誤配線や誤切断の発生を防止することができる中間配線盤を提供することができる。
【図面の簡単な説明】
【００１３】
【図１】本発明の一実施形態に係る中間配線盤を示す斜視図である。
【図２】端子ブロックの１つが筐体の収容部から突出した本発明の一実施形態に係る中間配線盤を示す斜視図である。
【図３】端子ブロックの１つが筐体の収容部から突出した本発明の一実施形態に係る中間配線盤を示す正面図である。
【図４】図３のＡ−Ａ線断面図である。
【図５】本発明の一実施形態に係る中間配線盤の端子ブロックを収容部から突出するように押し出す方法を説明する断面図である。
【図６】収容部から突出した本発明の一実施形態に係る中間配線盤の端子ブロックにケーブルが取り付けられた状態を示す断面図である。
【図７】本発明の一実施形態に係る中間配線盤の端子ブロックを筐体の収容部に収容する方法を示す断面図である。
【発明を実施するための形態】
【００１４】
以下、本発明の実施形態について、図面を参照しながら説明する。ただし、本発明は以下の実施形態に限定されるものではない。
【００１５】
図１は本実施形態に係る中間配線盤１の斜視図、図２は後述する複数の端子ブロック２０の１つが筐体１０の収容部１６から突出した状態である中間配線盤１の斜視図、図３は複数の端子ブロック２０の１つが筐体１０の収容部１６から突出した状態である中間配線盤１の正面図、図４は図３のＡ−Ａ線に沿った断面図（後述する基板及び端子２１については図示を省略する）である。
【００１６】
本実施形態に係る中間配線盤１の構成について説明する。中間配線盤１は、図１から図４に示すように、筐体１０と、複数の端子ブロック２０と、複数の押出機構３０と、複数の操作部４０と、複数の絶縁カバー５０と、複数のロック機構６０と、を含んで構成される。
【００１７】
筐体１０は、正面視において前面が開口した横長な筐体である。筐体１０は、筐体１０の上面を形成する上枠部１１と、底面を形成する下枠部１２と、左右側面を形成する側面部１３Ｌ、１３Ｒと、背面を形成する背面部１４と、複数の区画部材１５と、を含んで構成される。以下の説明において、図１に示すように、Ｘ方向は筐体１０の長手方向、Ｙ方向は筐体１０の短手方向、Ｚ方向は筐体１０の厚み方向を意味する。また、図１において、長手方向のうち、左側をＸ１側、右側をＸ２側、短手方向のうち、上側をＹ１側、下側をＹ２側、厚み方向のうち、背面側をＺ１側、手前側をＺ２側とする。
【００１８】
複数の区画部材１５は、筐体１０の背面部１４からＺ２側に延出し、上枠部１１と下枠部１２との間で、一対の側面部１３Ｌ、１３Ｒと平行に形成される。また、隣り合う区画部材１５の距離が、略等間隔になるように形成される。この構成により、複数の区画部材１５によって行方向に区画された略同じサイズの複数の収容部１６が形成される。ここでいう「行方向」とは、筐体１０の長手方向と同じ方向である。該収容部１６は、後述する端子ブロック２０を収容可能なサイズである。
【００１９】
下枠部１２のＺ２側の表面には、各収容部１６から筐体１０の外部へ複数の配線を出線可能な複数の出線溝１７が形成される。また下枠部１２には、収容部１６に通じ、かつ、後述するロック機構６０の係止突部６２が嵌合できる嵌合穴１８が形成される。背面部１４には、各収容部１６から外部へ開口する開口部（図示省略）が形成される。開口部は、後述する端子ブロック２０のＺ１側に配列された端子２１を露出させるように形成される。
【００２０】
端子ブロック２０は、図２から図４に示すように、基板（図示省略）と、複数の端子２１と、周壁２２と、係止突部２５と、を含んで構成される。端子ブロック２０は、図４に示すように収容部１６の待機位置Ｂ（図４等参照）に収容可能に形成される。本実施形態の筐体１０には、２５列の収容部１６が形成されており、２５個の端子ブロック２０が収容されている。また、端子ブロック２０は赤色を呈している。
【００２１】
基板は、絶縁材料からなり、正面視において縦長の板状部材である。端子２１は、通信装置のケーブルが接続される端子である。複数の端子２１は、基板のＺ方向におけるＺ１側及びＺ２側の両面に列方向に並列される。ここでいう「列方向」とは、筐体１０の短手方向と同じ方向である。
【００２２】
周壁２２は、基板の複数の端子２１が並列された両面の周囲からＺ１側及びＺ２側に向かってＺ方向に対して平行に延出する壁であり、複数の端子２１を囲うように形成される。端子ブロック２０の底面を形成する周壁２２のＺ２側の端面には、複数のケーブルを端子ブロック２０の外部へ出線可能な出線溝２３が形成される。出線溝２３は、端子ブロック２０が収容部１６の待機位置Ｂに収容された状態において、筐体１０の出線溝１７と重なり合い、複数のケーブルを筐体１０の外部へ引き出すことができる位置に形成される。また、端子ブロック２０の底面を形成する周壁２２には、後述するロック機構６０の係止突部６２が嵌合する嵌合穴２４が形成される。嵌合穴２４は、端子ブロック２０が筐体１０の収容部１６の待機位置Ｂに収容された状態において、筐体１０の嵌合穴１８と重なり合い、係止突部６２を嵌合することができる位置に形成される。
【００２３】
係止突部２５は、端子ブロック２０の上面を形成する周壁２２のＹ１側に設けられ、後述する規制部材３２と係合するように形成されている。係止突部２５には、Ｙ方向に対して平行な面である係止面２５１がＺ２側に形成され、Ｚ２側からＺ１側に向かうにつれてＹ１側からＹ２側に向かう傾斜を有する押上斜面２５２がＺ１側に形成される。
【００２４】
押出機構３０は、図４に示すように、付勢部材３１と、規制部材３２と、を含んで構成される。押出機構３０は、端子ブロック２０を収容部１６の待機位置ＢからＺ２側に押し出すための機構であり、端子ブロック２０毎に配置される。本実施形態においては、付勢部材３１としてコイルばねを用いている。
【００２５】
付勢部材３１は、一端が端子ブロック２０のＺ１側の側面を形成する周壁２２の端面に接続され、他端が前記端面に対向する背面部１４に接続される。本実施形態では、４つの付勢部材３１が、筐体１０と端子ブロック２０の左右の側面を形成する周壁２２とを連結している。付勢部材３１は、端子ブロック２０が筐体１０に収容された場合、自然長から圧縮された状態となるように配置される。つまり、筐体１０に収容された端子ブロック２０は、Ｚ１側からＺ２側への付勢力が与えられている状態である。該付勢力は、後述するスプリング蝶番５１の付勢力よりも大きくなるように設定される。
【００２６】
規制部材３２は、ロックアーム３２１と、ロッド３２７と、戻しばね３２８と、から構成される。
【００２７】
ロックアーム３２１は、各収容部１６の上部に位置する上枠部１１に内蔵された棒状の部材であり、爪部３２２と、連結部３２５と、回転軸３２６と、を含んで構成される。爪部３２２は、ロックアーム３２１の一端に形成される。また爪部３２２には、Ｙ方向に対して平行な面である係止面３２３がＺ１側に形成され、Ｚ２側からＺ１側に向かうにつれてＹ１側からＹ２側に向かう傾斜を有する案内斜面３２４がＺ２側に形成される。ロックアーム３２１は、端子ブロック２０が収容部１６に収容された状態において、爪部３２２の係止面３２３が端子ブロック２０の係止面２５１と接触する規制位置Ｄ（図４等参照）に配置される。係止面３２３と係止面２５１が接触することにより、端子ブロック２０の移動が制限され、端子ブロック２０に対する付勢部材３１の付勢力が維持される。連結部３２５は、ロックアーム３２１の他端に位置し、後述するロッド３２７の一端と接続される部位である。ロックアーム３２１は、連結部３２５を軸としてロッド３２７に対して回転自在に連結される。回転軸３２６は、爪部３２２と連結部３２５との間に位置する筐体１０との接続部位である。ロックアーム３２１は、回転軸３２６を中心として回転自在となるように筐体１０に取り付けられる。
【００２８】
ロッド３２７は、一端がロックアーム３２１と、他端が後述する操作部４０と連結されている棒状部材である。ロッド３２７は、Ｚ方向に平行であり、かつ、スライド移動可能に配置される。規制部材３２は、ロッド３２７がＺ１側にスライド移動すると、爪部３２２がＺ１側からＺ２側に移動するようにロックアーム３２１が回転軸３２６を中心に回転できるように構成される。ロックアーム３２１が回転し、係止突部２５から離隔する解除位置に規制部材３２が移動し、端子ブロック２０の規制が解除されることにより、端子ブロック２０の一部が外部に突出する突出位置Ｃ（図２及び図６参照）に押し出される。
【００２９】
戻しばね３２８は、一端がロックアーム３２１に、他端がＺ１側の上枠部１１に接続される。ロックアーム３２１の回転は、戻しばね３２８の付勢力によって制限される。
【００３０】
操作部４０は、ロッド３２７の一端に接続された押しボタンである。操作部４０は、上枠部１１のＺ２側の外表面に端子ブロック２０毎に配置される。操作部４０は、Ｚ２側からＺ１側に向かって押されると、操作部４０に接続されたロッド３２７をＺ１方向にスライド移動させることができるように構成される。ロッド３２７がＺ１方向にスライド移動することにより、規制部材３２が規制位置Ｄから解除位置に移動する。
【００３１】
絶縁カバー５０は、板状の縦長な絶縁部材であり、筐体１０の収容部１６毎に配置され、筐体１０のＺ２側の開口部を開閉する。また絶縁カバー５０は、黒色を呈している。絶縁カバー５０は、スプリング蝶番５１を介して、各収容部１６を形成する区画部材１５又は側面部１３Ｒに開閉自在に取り付けられる。スプリング蝶番５１は、一対の蝶番片の連結部にねじりコイルばねを取り付けている。絶縁カバー５０は、端子ブロック２０の前面をカバーできる幅及び長さに設定される。スプリング蝶番５１は、一方の蝶番片が区画部材１５の内側面に、もう一方の蝶番片が絶縁カバー５０の内側面に取り付けられる。スプリング蝶番５１は、絶縁カバー５０が収容部１６を閉じる方向に付勢するように形成される。スプリング蝶番５１の付勢力により、端子ブロック２０が待機位置に配置される場合、収容部１６が絶縁カバー５０により閉じられ、この状態が維持される。一方、絶縁カバー５０にスプリング蝶番５１の付勢力よりも大きな力が収容部１６からＺ２側に向かって加えられると、絶縁カバー５０が開き収容部１６が開放される。
【００３２】
ロック機構６０は、図４に示すように、各収容部１６の下枠部１２に内蔵された棒状の部材であり、円柱状の本体部６１と、係止突部６２と、鍵穴６３と、を含んで構成される。ロック機構６０は、Ｚ方向に平行に配置される。係止突部６２は、ロック機構６０の本体部６１の円周上に形成された棒状の突起物である。係止突部６２は、筐体１０の嵌合穴１８及び端子ブロック２０の嵌合穴２４に嵌合可能に形成される。鍵穴６３は、本体部６１のＺ２側の端面に形成される。ロック機構６０は、鍵を鍵穴６３に挿入して所定の方向に回すことにより、本体部６１が回転するように形成される。係止突部６２が嵌合穴１８及び嵌合穴２４に嵌合されることにより、待機位置Ｂに収容される端子ブロック２０の移動が規制される。
【００３３】
次に、本実施形態に係る中間配線盤１にケーブル７０を取り付ける方法について図５から図７を参照しながら説明する（基板及び端子２１については図示を省略する）。
【００３４】
図５はＺ２側の端子２１にケーブル７０を取り付ける前の状態の中間配線盤１を示す断面図、図６は端子ブロック２０を筐体１０から押し出し、ケーブル７０が取り付けられた状態の中間配線盤１を示す断面図、図７はケーブル７０を取り付けた端子ブロック２０を収容した状態の中間配線盤１を示す断面図である。
【００３５】
ケーブル７０を取り付ける前の中間配線盤１は、図１に示すように全ての列の絶縁カバー５０が閉じられており、ロック機構６０により施錠されている状態である。
【００３６】
まず、作業者が、ケーブル７０の取付対象となる列の端子ブロック２０の鍵穴６３に鍵を挿し込み所定の角度まで回す。するとロック機構６０の係止突部６２が筐体１０の嵌合穴１８及び端子ブロック２０の嵌合穴２４から離脱して開錠される。
【００３７】
次に、作業者が、操作部４０をＺ１側に押す。するとロッド３２７がＺ２側からＺ１側にスライド移動する。そして、ロックアーム３２１が回転軸３２６を中心に爪部３２２がＺ１側からＺ２側に移動する方向に回転する。このとき、戻しばね３２８は引き伸ばされ、Ｚ１方向の付勢力を得る。爪部３２２が係止突部２５の上面よりもＹ１側に移動し、係止突部２５から離隔すると、ロックアーム３２１による端子ブロック２０に対する規制が解除される。同時にスプリング蝶番５１の付勢力よりも大きい付勢部材３１の付勢力によって、端子ブロック２０が絶縁カバー５０を押し開き、突出位置Ｃへ押し出される。
【００３８】
図６に示すように、中間配線盤１は複数の端子ブロック２０の１つが筐体１０の外部に突出した状態となる。付勢部材３１は、自然長の状態で端子ブロック２０の周壁２２と筐体１０の背面部１４に連結される。規制部材３２は、戻しばね３２８の上記付勢力によりロックアーム３２１及びロッド３２７が元の位置に戻る。このとき、係止突部２５がロックアーム３２１よりもＺ２側に移動し、爪部３２２の案内斜面３２４と係止突部２５の押上斜面２５２とがお互いに対向する状態となる。
【００３９】
作業者が、各端子２１にケーブル７０を接続する。このときの中間配線盤１の状態は、図２に示すように、作業対象となる列の端子ブロック２０のみが筐体１０から前方に突出して、他の端子ブロック２０は絶縁カバー５０で閉じられた収容部１６に収容された状態である。これにより、作業対象となる端子ブロック２０以外の端子２１への接触を防止できるため、隣接する列に配置された端子２１への誤配線、既設の配線の誤切断等を防止することができる。また、絶縁カバー５０と端子ブロック２０は異なる色を呈しているため、作業対象の端子ブロック２０がより明確になるとともに、作業者の作業対象に対する意識を集中させることができる。
【００４０】
ケーブル７０の取付けが完了した後、作業者が前方に突出している端子ブロック２０を、付勢部材３１の付勢力よりも大きな力でＺ２側からＺ１側へ押し込む。すると端子ブロック２０の押上斜面２５２が案内斜面３２４に接触しながらロックアーム３２１を押し上げ、ロックアーム３２１が戻しばね３２８を圧縮しながら回転軸３２６を中心に爪部３２２がＺ２側からＺ１側に移動する方向に回転する。係止突部２５が爪部３２２よりもＺ１側に移動して爪部３２２から離隔すると、戻しばね３２８の付勢力によりロックアーム３２１が元の角度に戻る。そして、端子ブロック２０の係止面２５１とロックアーム３２１の係止面３２３とが接触し、再び端子ブロック２０の移動が制限される。スプリング蝶番５１の付勢力により、絶縁カバー５０が自動的に閉じられる。なお、各端子２１に接続されたケーブル７０は出線溝２３及び出線溝１７から筐体１０の下方に出線させる。
【００４１】
作業者が鍵穴６３に鍵を挿し込み、所定の角度まで回す。するとロック機構６０の本体部６１が回転し、係止突部６２が嵌合穴１８及び嵌合穴２４に嵌合することにより、端子ブロック２０の移動が規制される。
【００４２】
以上説明した実施形態に係る中間配線盤１によれば、以下のような効果を奏する。
【００４３】
中間配線盤１は、行方向に並列された複数の収容部１６を有する筐体１０と、収容部１６のそれぞれに配置され、収容部１６に収容される待機位置Ｂと収容部１６から突出する突出位置Ｃの間を移動可能であり、複数の端子２１を有する複数の端子ブロック２０と、筐体１０に端子ブロック２０毎に配置され、待機位置Ｂから突出位置Ｃに端子ブロック２０を押し出し可能な複数の押出機構３０と、筐体１０に収容部１６毎に配置され、収容部１６を開閉可能な複数の絶縁カバー５０と、押出機構３０を選択的に動作させる操作部４０とを備える。
【００４４】
この構造により、端子２１へのケーブル７０の取付け時又は撤去時に、作業対象となる列の端子ブロック２０のみを筐体１０から前方に突出させて、他の端子ブロック２０は絶縁カバー５０で閉じられた収容部１６に収容された状態とすることができる。これにより、作業対象の端子ブロック２０を他の端子ブロック２０から隔離されるため、誤配線、誤切断を抑制することができる。
【００４５】
押出機構３０は、端子ブロック２０を突出位置Ｃ側に付勢する付勢部材３１と、操作部４０の操作に連動して、待機位置Ｂの端子ブロック２０の移動を規制する規制位置Ｄから規制を解除する解除位置に移動する規制部材３２と、を有する。
【００４６】
規制部材３２により端子ブロック２０の移動が規制されているため、より確実に作業対象の端子ブロック２０のみを中間配線盤１から突出させることができる。
【００４７】
筐体１０の規制部材３２と異なる位置に端子ブロック２０毎に配置され、鍵穴６３を有するロック機構６０をさらに備え、ロック機構６０は、鍵穴６３に挿し込まれた鍵の回転に連動して、端子ブロック２０の移動を規制する状態と規制を解除する状態に切り換わる。
これにより、鍵でロックを解除しなければ操作部４０を押しても端子ブロック２０が動かなくなるので、セキュリティの向上を図ることができる。
【００４８】
端子ブロック２０の色と絶縁カバー５０の色とが異なる。
これにより、作業対象箇所がより明確になるとともに、作業者の作業対象の端子ブロック２０に対する意識を集中させることができる。
【００４９】
以上、本発明の実施形態について説明したが、本発明は、上記実施形態に制限されるものではなく適宜変更が可能である。
【００５０】
上述した実施形態では、押出機構３０は付勢部材３１と規制部材３２とを含んで構成されるが、付勢部材３１と規制部材３２を用いず、アクチュエータを端子ブロック２０及び背面部１４に取り付け、電気信号により制御される押出機構としてもよい。
【００５１】
上述した実施形態では、付勢部材３１としてコイルばねを使用しているが伸縮部材であれば特に限定されず、例えば、金属材料からなる伸縮部材であっても、エラストマー等の高分子材料からなる伸縮部材であってもよい。また、その形状は板状、チューブ状、紐状等であってもよい。
【００５２】
上述した実施形態では、４つの付勢部材３１を端子ブロック２０の周壁２２の端面に接続しているが付勢部材３１の数は特に限定されず、２つであっても３つであってもよい。また、付勢部材３１を端子ブロック２０の周壁２２ではなく、基板に取り付けてもよい。
【００５３】
上述した実施形態では、操作部４０として筐体１０に取り付けられた押しボタンを使用しているが規制部材３２の位置を制御できれば特に制限されず、例えば、ロッド３２７の代わりにアクチュエータを用いて外部からの電気信号により規制部材３２の位置を制御してもよい。
【符号の説明】
【００５４】
１  中間配線盤
１０  筐体
１６  収容部
２０  端子ブロック
２１  端子
３０  押出機構
４０  操作部
５０  絶縁カバー
６０  ロック機構
Ｂ  待機位置
Ｃ  突出位置
【図１】
2020113375.tif 000003
【図２】
2020113375.tif 000004
【図３】
2020113375.tif 000005
【図４】
2020113375.tif 000006
【図５】
2020113375.tif 000007
【図６】
2020113375.tif 000008
【図７】
2020113375.tif 000009